(57)【要約】【課題】高温条件下において、金属環より熱膨張係数が大きい樹脂等で形成されたハウジングに密封装置が装着された場合であっても、ハウジングの熱膨張に対する追随性が向上し、密封性が確保される密封装置を提供する。【解決手段】互いに相対可動自在に組み付けられた同心の軸とハウジング間の環状の隙間を軸に対してはシールリップ部６が摺動することによりシールし、ハウジング１１，１２に対しては金属環２の嵌合により固定密封部７が圧縮密着されることでシールする密封装置１であって、固定密封部７の端部に設けられたフランジ部７ｂの端面７ｃに突起１０を設ける構成とした。【選択図】図１
2005265079.tif 000002
【特許請求の範囲】
【請求項１】
互いに相対可動自在に組み付けられた同心である２部材間の環状の隙間をシールするもので、一の部材に摺動するシールリップと一体成形されている固定密封部が金属環の嵌合により他の部材と密着する密封装置であって、前記固定密封部の端部にフランジ部を設け、該フランジ部の端面に突起を形成したことを特徴とする密封装置。
【請求項２】
互いに相対可動自在に組み付けられた同心である２部材間の環状の隙間をシールするもので、一の部材に摺動するシールリップと一体成形されている固定密封部が金属環の嵌合により他の部材と密着する密封装置であって、前記固定密封部の側端面に突起を形成したことを特徴とする密封装置。
【発明の詳細な説明】
【技術分野】
【０００１】
本発明は、農機ポンプ用オイルシールに用いられる密封装置に関するものである。
【背景技術】
【０００２】
従来、例えば図３に示す密封装置１０１が知られている。この密封装置１０１は、円筒部１０２ａと円筒部１０２ａの反密封流体側Ｂの軸方向端末から軸に向かって径方向に延びるフランジ部１０２ｂからなる断面Ｌ字状の金属環１０２と、金属環１０２を被覆するように加硫接着されているゴム状弾性体からなる弾性体部１０３とから構成されている。弾性体部１０３は、金属環１０２の外周側に位置する固定密封部１０４と、金属環１０２の内周側に位置する主リップ１０５と主リップ１０５より密封流体側Ａに位置するサブリップ１０６からなるシールリップ部１０７から構成されており、主リップ１０５の外周側であってリップエッジの反対側にはガータスプリング１０８を装着するための凹部１０９が設けられている。
【０００３】
前記密封装置１０１は、金属環１０２の外周側に位置するハウジング１１１と、金属環１０２の内周側であってハウジング１１１と同心で相対可動する図示していない軸との間に配設され、ハウジング１１１に対しては、金属環１０２の円筒部１０２ａの嵌合により固定密封部１０４が密着し、軸に対しては、主リップ１０５とサブリップ１０６が摺動するように取り付けられている。そして、主リップ１０５の外周側に形成されている凹部１０９に装着されたガータスプリング１０８が軸の径方向の変動に対して主リップ１０５が追随するように押圧している。
【０００４】
これにより、ベアリング内部に封入されているオイルやグリース等の潤滑剤が反密封流体側Ｂに漏れ出さないように、また異物等が密封流体側Ａの潤滑剤に混入しないように、軸に対しては主リップ１０５及びサブリップ１０６によりシールされ、ハウジング１１１に対しては金属環１０２の円筒部１０２ａの外周側に位置する固定密封部１０４が金属環の嵌合により圧縮されることで嵌合締め代が確保され密封性が保持されている。
【０００５】
しかし、上記密封装置１０１を熱膨張係数が大きい樹脂等のハウジング１１１に装着した場合、高温条件下では密封装置１０１に使用されている金属環１０２の方がハウジング１１１の材質である樹脂より熱膨張係数が小さくなり、ハウジング１１１の熱膨張に対する金属環１０２の追随性が不十分となり固定密封部１０４の圧縮率が低下する。その結果、固定密封部１０４のハウジング１１１に対する嵌合締め代が低下して密封性が不安定となり、ハウジング１１１と固定密封部１０４との界面から内部流体の漏れが発生するおそれがあった。
【０００６】
なお、特開２０００−１３０５９６公報では、金属環の円筒部に凹凸を形成して嵌合締め代を確保することが提案されているが、本願発明とは目的・構成を異にしており、本願発明については何ら示唆されていない。
【０００７】
【特許文献１】特開２０００−１３０５９６公報
【発明の開示】
【発明が解決しようとする課題】
【０００８】
本発明は上記の問題点に鑑みてされたもので、高温条件下において、密封装置の金属環より熱膨張係数が大きい樹脂等で形成されたハウジングに密封装置を装着した場合であっても、ハウジングの熱膨張に対する追随性が向上し、密封性が安定する密封装置を提供することを目的とする。
【課題を解決するための手段】
【０００９】
上記目的を達成するため、本発明の請求項１に係る密封装置は、互いに相対可動自在に組み付けられた同心である２部材間の環状の隙間をシールするもので、一の部材に摺動するシールリップと一体成形されている固定密封部が金属環の嵌合により他の部材と密着する密封装置であって、前記固定密封部の端部にフランジ部を設け、該フランジ部の端面に突起を形成したことを特徴とするものである。
【００１０】
また、本発明の請求項２に係る密封装置は、互いに相対可動自在に組み付けられた同心である２部材間の環状の隙間をシールするもので、一の部材に摺動するシールリップと一体成形されている固定密封部が金属環の嵌合により他の部材と密着する密封装置であって、前記固定密封部の側端面に突起を形成したことを特徴とするものである。
【発明の効果】
【００１１】
本発明は、以下の効果を奏する。
【００１２】
すなわち、上記構成を備えた本発明の請求項１に係る密封装置は、互いに相対可動自在に組み付けられた同心である２部材間の環状の隙間に装着される場合、金属環の嵌合により固定密封部の端部に設けられたフランジ部の端面に形成されている突起が他の部材との間で軸方向の圧縮を受けるので、高温条件下で他の部材が金属環以上の熱膨張をした場合であっても固定密封部の追随性が向上し嵌合締め代が確保されるので、密封性が安定し固定密封部と他の部材との界面からの漏れを防止することができる。
【００１３】
また、上記構成を備えた本発明の請求項２に係る密封装置は、互いに相対可動自在に組み付けられた同心である２部材間の環状の隙間に装着される場合、金属環の嵌合により固定密封部の側端面に形成されている突起が他の部材との間で軸方向の圧縮を受けるので、高温条件下で他の部材が金属環以上の熱膨張をした場合であっても固定密封部の追随性が向上し嵌合締め代が確保されるので、密封性が安定し固定密封部と他の部材との界面からの漏れを防止することができる。
【発明を実施するための最良の形態】
【００１４】
以下に図面を参照して、この発明の好適な実施の形態を例示して説明する。ただし、この発明の範囲は、特に限定的記載がないかぎりは、この実施の形態に記載されている内容に限定する趣旨のものではない。
【００１５】
この密封装置1は、円筒部２ａと円筒部２ａの反密封流体側Ｂ一端から軸側に向けて径方向に延びている第一フランジ部２ｂと円筒部２ａの密封流体側Ａ一端から反軸側に向けて径方向に延びている第二フランジ部２ｃから構成される金属環２と、金属環２を被覆するように加硫接着されているゴム状弾性体からなる弾性体部３とを有している。弾性体部３は、金属環２の内周側に位置し金属環２の第一フランジ部２ｂの先端に加硫接着していて軸に摺動する主リップ４と主リップより密封流体側Ａに位置するサブリップ５からなるシールリップ部６と、金属環２の円筒部２ａの外周側に位置する外周部７ａと金属環２の第二フランジ部２ｃを被覆しているフランジ部７ｂから構成される固定密封部７とを有している。そして、主リップ４の外周側に形成されている凹部９に装着されたガータスプリング８が図示しない軸の径方向の変動に対して主リップ４が追随するように押圧してシールリップ部６の軸に対するシール性を確保している。
【００１６】
固定密封部７の外周部７ａは金属環２の嵌合により径方向の圧縮を受けるように設計されており、固定密封部７のフランジ部７ｂは異なる２面のハウジング１１，１２で三方を囲われており、フランジ部７ｂの密封流体側Ａ端面７ｃには、金属環２の嵌合によりハウジング１２と密着し軸方向の圧縮を受けるように突起１０が固定密封部と同じ材質のゴム状弾性体で設けられている。
【００１７】
上記構成により、密封装置１を互いに相対可動自在に組み付けられた同心である軸とハウジング１１，１２の間の環状空間に装着した場合、金属環２による嵌合で固定密封部７の外周部７ａが径方向に圧縮を受けて嵌合締め代が確保されるとともに、固定密封部７のフランジ部７ｂの密封流体側Ａ端面７ｃに設けられている突起１０が金属環２の嵌合によりハウジング１２との間で軸方向の圧縮を受けて嵌合締め代が確保される。したがって、高温・振動等の厳しい条件化で使用され、金属環２よりハウジング１１，１２の熱膨張係数が大きい場合であっても突起１０がリップとして機能しハウジング１１，１２の熱膨張に対する固定密封部７の追随性が確保されることになり、密封性を維持することが出来る。
【００１８】
図２は、本発明の別の実施態様を示す。固定密封部５の端部に径方向に延びるフランジ部がなく、固定密封部７の外周部７ａの側端面７ｄに突起１０が固定密封部と同じ材質で設けられ、三方がハウジングで囲まれている場合である。この場合も金属環２の嵌合で固定密封部７の外周部７ａが径方向に圧縮を受けて嵌合締め代が確保されるとともに、固定密封部７の外周部７ａの側端面７ｄに設けられている突起１０が金属環２の嵌合によりハウジング１１との間で軸方向の圧縮を受けて嵌合締め代が確保される。したがって、高温・振動等の厳しい条件下で使用され、金属環２よりハウジング１１，１２の熱膨張係数が大きい場合であっても突起１０がリップとして機能しハウジング１１，１２の熱膨張に対する固定密封部７の追随性が確保されることになり、密封性を維持することが出来る。
【図面の簡単な説明】
【００１９】
【図１】本発明の実施例１に係る密封装置の断面図
【図２】本発明の別の実施例２に係る密封装置の断面図
【図３】従来の実施例に係る密封装置の断面図
【符号の説明】
【００２０】
１  密封装置
２  金属環
２ａ  円筒部
２ｂ，２ｃ  フランジ部
３  弾性体部
４  主リップ
５  サブリップ
６  シールリップ部
７  固定密封部
７ａ  外周部
７ｂ  フランジ部
７ｃ  端面
７ｄ  側端面
８  ガータスプリング
９  凹部
１０  突起
１１，１２  ハウジング
Ａ  密封流体側
Ｂ  反密封流体側
【図１】
2005265079.tif 000003
【図２】
2005265079.tif 000004
【図３】
2005265079.tif 000005